(57)【要約】【課題】浴室と脱衣室を連通する通気経路の掃除を簡単に行うことができる浴室折戸を提供する。【解決手段】左扉体３と右扉体４とこれらの扉体の隣接する左縦中框１１と右縦中框１６を折り曲げ自在に連結する連結部材５を備え、左縦中框１１と右縦中框１６は、本体部２０と端部片２９を有し、端部片２９は、左扉体３および右扉体４の折り曲げ位置にかかわらず、連結部材５と略一定の隙間を維持するものであり、本体部２０には、端部片２９の基端部よりも浴室側の連結部材側見込壁２３に浴室側開放口３１が形成してあり、浴室側開放口３１と脱衣室とを連通する脱衣室側開放口３２が形成してある。【選択図】図１
2018141347.tif 000002
【特許請求の範囲】
【請求項１】
２枚の扉体と扉体の隣接する縦中框同士を折り曲げ自在に連結する連結部材を備え、
縦中框は、本体部と端部片を有し、
端部片は、扉体の折り曲げ位置にかかわらず、連結部材と略一定の隙間を維持するものであり、
本体部には、端部片の基端部よりも浴室側の見込壁に浴室側開放口が形成してあり、浴室側開放口と脱衣室とを連通する脱衣室側開放口が形成してあることを特徴とする浴室折戸。
【発明の詳細な説明】
【技術分野】
【０００１】
本発明は、浴室折戸に関する。
【背景技術】
【０００２】
特許文献１には、縦中框の側壁面に浴室側開放口と脱衣室側開放口とを設けるとともに、縦中框の浴室側端部片の脱衣室側に湾曲した先端部と連結部材の閉塞部材とに隙間を設けて、各開放口と該隙間とにより浴室と脱衣室とを連通させることで、折戸を開放するときに負圧により操作が重くなるのを防止する浴室折戸が開示されている。
【先行技術文献】
【特許文献】
【０００３】
【特許文献１】特開２０１６−１８３５０６号公報
【発明の概要】
【発明が解決しようとする課題】
【０００４】
浴室と脱衣室との通気経路には、埃やゴミが溜まりやすく掃除をする必要がある。このような浴室折戸では、縦中框の浴室側端部片の先端部と連結部材の閉塞部材との隙間が狭いため掃除を簡単に行うことができない。
【０００５】
そこで、本発明は、掃除を簡単に行うことができる浴室折戸の提供を目的とする。
【課題を解決するための手段】
【０００６】
本願請求項１に係る発明は、２枚の扉体と扉体の隣接する縦中框同士を折り曲げ自在に連結する連結部材を備え、縦中框は、本体部と端部片を有し、端部片は、扉体の折り曲げ位置にかかわらず、連結部材と略一定の隙間を維持するものであり、本体部には、端部片の基端部よりも浴室側の見込壁に浴室側開放口が形成してあり、浴室側開放口と脱衣室とを連通する脱衣室側開放口が形成してあることを特徴とする浴室折戸である。
【発明の効果】
【０００７】
請求項１に記載の発明によれば、浴室と脱衣室を連通する通気経路の掃除を簡単に行うことができる。
【図面の簡単な説明】
【０００８】
【図１】本発明の第１の実施形態に係る浴室折戸であって、（ａ）は図４に示すＡ−Ａ断面図、（ｂ）は（ａ）に示す浴室折戸を折り畳んだ状態を示す横断面図である。
【図２】図１（ｂ）を斜め上から見た斜視図である。
【図３】本発明の第１の実施形態に係る浴室折戸を浴室側から見た正面図である。
【図４】本発明の第１の実施形態に係る浴室折戸を脱衣室側から見た正面図である。
【図５】本発明の第２の実施形態に係る浴室折戸であって、（ａ）は図１（ａ）と同じ位置で切断して示す横断面図、（ｂ）は（ａ）に示す浴室折戸を折り畳んだ状態を示す横断面図である。
【図６】本発明の第３の実施形態に係る浴室折戸であって、（ａ）は図１（ａ）と同じ位置で切断して示す横断面図、（ｂ）は（ａ）に示す浴室折戸を折り畳んだ状態を示す横断面図である。
【図７】本発明の第４の実施形態に係る浴室折戸であって、（ａ）は図１（ａ）と同じ位置で切断して示す横断面図、（ｂ）は（ａ）に示す浴室折戸を折り畳んだ状態を示す横断面図である。
【図８】本発明の第５の実施形態に係る浴室折戸であって、（ａ）は図１（ａ）と同じ位置で切断して示す横断面図、（ｂ）は（ａ）に示す浴室折戸を折り畳んだ状態を示す横断面図である。
【発明を実施するための形態】
【０００９】
〔第１の実施形態〕
以下、本発明の第１の実施形態について図面の図１乃至図４と共に説明する。なお、本発明は、実施形態の場合に限定されない。
図３に示すように、第１の実施形態に係る折戸１は、浴室折戸であり、枠体２内に左扉体３および右扉体４と、これらの２枚の扉体３、４の縦中框同士を折り曲げ自在に連結する連結部材５とを備えており、浴室と脱衣室を開閉自在に仕切っている。尚、本明細書において、右側は脱衣室側から折戸１を見たときの右側であり、同様に左側は脱衣室側から見た左側である。
【００１０】
図３及び図４に示すように、枠体２は、上枠６、下枠７、左縦枠８及び右縦枠９が枠組みされ構成されており、上枠６及び下枠７には各々図示しない案内レールが設けられている。
左扉体３は、左側の左縦框１０、右側の左縦中框１１、上側の左上框１２、下側の左下框１３が框組みされて構成されており、左縦框１０と左縦中框１１との間にパネル１４が取付けられている。右扉体４は、右側の右縦框１５、左側の右縦中框１６、上側の右上框１７、下側の右下框１８が框組みされて構成されており、右縦框１５と右縦中框１６との間にパネル１４が取付けられている。図３に示すように、左扉体３の浴室側には、左縦框１０と左縦中框１１とにわたって浴室側取手１９が取付けられている。
左扉体３の左側にある左縦框（戸先框）１０は、上枠６及び下枠７の案内レールに移動自在に且つ回動自在に取付けられており、右扉体４の右縦框（戸尻框）１５は、右縦枠９に隣接する位置で上枠６と下枠７に回動自在に係合されている。
【００１１】
図１に示すように、連結部材５は、左扉体３の左縦中框１１と右扉体４の右縦中框１６とが対向して回動自在に係合する縦中框軸受部材５ａと、左縦中框１１と右縦中框１６の長手方向に沿って上下に存在する閉塞部材５ｂとを備えている。縦中框軸受部材５ａは、閉塞部材５ｂの内部に装着されている。
図１（ｂ）に示すように、折戸１を折り畳んだ際には、左扉体３および右扉体４の連結部材５に連結された側（左縦中框１１側および右縦中框１６側）が、浴室側に突出するようになる。
【００１２】
左縦中框１１と右縦中框１６とについて説明する。左縦中框１１と右縦中框１６とは、図１（ａ）に示すように連結部材５の見込み方向中心線に対して線対称の構成であるので、左縦中框１１についてのみ説明し、右縦中框１６は同一の作用効果を奏する部分には同一の符号を付してその説明を省略する。
左縦中框１１は、本体部２０と端部片２９を備える。本体部２０は、浴室側見付壁２１、脱衣室側見付壁２２、連結部材側見込壁２３、パネル側見込壁２４を備え、浴室側見付壁２１と脱衣室側見付壁２２とは、連結部材側見込壁２３およびパネル側見込壁２４で連結されている。これらの壁により中空部２５が形成されている。
浴室側見付壁２１の連結部材５側の端部は、連結部材側見込壁２３より延出している。
延出した部分は、水切片２１ａを構成する。
また、浴室側見付壁２１のパネル１４側の端部は、パネル側見込壁２４より延出している。延出した部分は、パネル側見込壁２４より突出した部分である脱衣室側パネル溝壁２４ａとともにパネル１４が取付けられるパネル溝２６を構成する。
【００１３】
脱衣室側見付壁２２の連結部材５側の端部は、連結部材側見込壁２３より延出している。延出した部分の先端は、縦中框軸受部材５ａに係合する折曲軸部２２ａを構成している。縦中框軸受部材５ａと折曲軸部２２ａとが回動自在に係合されているので、折戸１は折り畳まれることが可能となる。
また、脱衣室側見付壁２２のパネル１４側の端部は、パネル側見込壁２４より延出して脱衣室側引手２７を構成している。脱衣室側引手２７のパネル１４側は手の指を挿入できる程度の空間が確保されている。脱衣室側引手２７のパネル１４側の面には、凹凸が形成されており、掛けた手の指が滑り難くなっている。
脱衣室側引手２７は、脱衣室側パネル溝壁２４ａとで上下方向にわたって脱衣室側溝開口２８を形成している。
【００１４】
左縦中框１１と閉塞部材５ｂとの間に指が挟まれることを防止するために端部片２９が設けられる。端部片２９は、連結部材側見込壁２３から連結部材５の閉塞部材５ｂを覆うように形成され、左縦中框１１を構成している。図１（ａ）および図１（ｂ）に示すように、端部片２９は、閉塞部材５ｂの湾曲面と略一定の指が入らない程度の隙間を隔てて形成されており、縦中框軸受部材５ａと折曲軸部２２ａとが回動しても当該隙間が維持されるようになっている。すなわち、端部片２９は、左扉体３の折り曲げ位置にかかわらず、連結部材５と略一定の隙間を維持するように形成されている。このようにすることで、指が挟まれることを防止することができる。
端部片２９は、水切片２１ａとで上下方向にわたって浴室側溝開口３０を形成している。
端部片２９は、浴室側見付壁２１、脱衣室側見付壁２２、連結部材側見込壁２３およびパネル側見込壁２４と同様に、アルミ材で一体成形されているが、硬質樹脂材で一体成形されていてもよい。
【００１５】
図１（ａ）に示すように、端部片２９の基端部よりも浴室側の連結部材側見込壁２３には、浴室側開放口３１が形成されている。浴室側開放口３１は、図２に示すように略正方形であって上下方向に複数設けられている。本実施の形態では、浴室側開放口３１は、図示を省略するが、連結部材側見込壁２３の上部には設けられていない。
図１（ａ）に示すように、脱衣室側パネル溝壁２４ａの基端部よりも脱衣室側のパネル側見込壁２４には、脱衣室側開放口３２が形成されている。脱衣室側開放口３２は、図２に示すように略正方形であって上下方向に複数設けられている。本実施の形態では、脱衣室側開放口３２は、図示を省略するが、パネル側見込壁２４の上部には設けられていない。
【００１６】
図１（ａ）に示すように、浴室側開放口３１と脱衣室側開放口３２とは、見込方向でずれた位置に形成されている。また、図２に示すように、浴室側開放口３１より脱衣室側開放口３２が全体的に上方向にずれた位置に形成されている。
図１（ａ）に示すように浴室側溝開口３０、浴室側開放口３１、中空部２５、脱衣室側開放口３２および脱衣室側溝開口２８によって通気経路Ｋが形成され浴室と脱衣室とが連通されている。すなわち、左縦中框１１および右縦中框１６各々によって通気経路Ｋが完結して形成されている。
図１（ａ）、図１（ｂ）および図２に示すように、浴室側溝開口３０から浴室側開放口３１は、掃除可能な程度に露出されている。
【００１７】
第１の実施形態の作用効果を述べる。
図１（ａ）、図１（ｂ）および図２に示すように、折戸１が閉じられた状態においても、折り畳まれた状態においても、浴室側溝開口３０から浴室側開放口３１が掃除可能な程度に露出されているので、ブラシなどで浴室側溝開口３０、浴室側開放口３１および連結部材側見込壁２３を掃除することが可能である。特に、図１（ｂ）および図２に示すように、折り畳まれた状態においては、浴室側正面方向に浴室側溝開口３０が向くため、埃やゴミが溜まったか否かもチェックしやすいとともに、正面から掃除も行いやすい。
また、掃除をする際に、端部片２９をガイドとしてブラシなどを挿入および移動させることができるので、容易に掃除をすることができる。
さらに、端部片２９が、連結部材側見込壁２３から連結部材５の閉塞部材５ｂを覆うように形成されているので、連結部材５の閉塞部材５ｂが埃やゴミが通過する通気経路Ｋに曝されず、閉塞部材５ｂと、閉塞部材５ｂに対して可動する左縦中框１１および右縦中框１６との隙間に埃やゴミが溜まり難くなり、スムーズな折戸１の開閉を維持することができる。換言すると、通気経路Ｋと、閉塞部材５ｂと閉塞部材５ｂに対して可動する左縦中框１１および右縦中框１６との隙間である可動空間とが、端部片２９によって仕切られることになるため、連結部材５と左縦中框１１および右縦中框１６との隙間である可動空間に埃やゴミが侵入する可能性を低下させることができる。
【００１８】
図１（ａ）に示すように、浴室側溝開口３０、浴室側開放口３１、中空部２５、脱衣室側開放口３２および脱衣室側溝開口２８といった左縦中框１１および右縦中框１６の各縦中框によって通気経路Ｋが完結しており、この通気経路Ｋによって浴室と脱衣室とが連通され通気を図り、浴室側溝開口３０が広く通気量を十分に確保できるので、従来技術のように扉に他の部分に換気装置を設ける必要がなく、コストダウンが図れると共にすっきりとした意匠にできる。
また、折戸１の折り畳み時にもっとも浴室内の空気を圧縮することになる縦中框に通気経路Ｋを設けたので、折戸１の折り畳み動作開始時から、浴室と脱衣室とで圧力差が生じず、終始軽い力で折戸１を開閉することができる。
さらに、左縦中框１１および右縦中框１６の連結部材側見込壁２３に浴室側開放口３１、パネル側見込壁２４に脱衣室側開放口３２が形成してあるので、浴室側開放口３１および脱衣室側開放口３２が目立たない。
【００１９】
浴室側開放口３１および脱衣室側開放口３２は、浴室側見付壁２１、脱衣室側見付壁２２に設けられていないので、浴室側からの水が入り難い。
また、図１（ａ）に示すように、浴室側開放口３１と脱衣室側開放口３２とは、見込方向でずれた位置に形成されているので、浴室側からの水が脱衣室側に入り難い。
さらに、図２に示すように、浴室側開放口３１より脱衣室側開放口３２が全体的に上方向にずれた位置に形成されているので、浴室側からの水が脱衣室側に入り難い。
さらに、図１（ａ）に示すように、連結部材側見込壁２３の浴室側に端部片２９と対向する水切片２１ａがあるため、浴室側からの水が浴室側開放口３１に入り難い。
【００２０】
脱衣室側引手２７は、左縦中框１１および右縦中框１６の脱衣室側見付壁２２の端部であって、略面一であるので、左扉体３と右扉体４の連結部分の脱衣室側で凹凸がなく、すっきりとした意匠にできると共に、ごみ等が溜まり難く清掃し易い。
また、脱衣室側引手２７は、左縦中框１１および右縦中框１６の長手方向に沿って上下に長く設けてあるから、上下方向の任意の位置で手の指を掛けることができ、身長にかかわらず、子供から大人までユニバーサルな開閉手段とすることができる。
【００２１】
〔第２の実施形態〕
本発明の第２の実施形態を図５と共に説明する。なお、第１の実施形態と同様の事項については説明を省略し、異なる点を中心に説明する。
第２の実施形態は、左縦中框１１および右縦中框１６を硬質樹脂材で形成し、端部片２９の一部２９ａを軟質樹脂材で形成したものである。硬質樹脂材と軟質樹脂材とは一体成形される。図５において、端部片２９の軟質樹脂材で形成された部分はハッチングで示している。
このように、端部片２９の一部２９ａを軟質樹脂材で形成したので、折戸１を組み立て時において端部片２９と連結部材５の閉塞部材５ｂとの隙間について誤差などが生じて両者が接触したとしても、折戸１の開閉時のこすれ音の発生を防止することができる。
また、軟質樹脂材であるので、指などをぶつけたりしても怪我をしないようになる。
さらに、軟質樹脂材の端部片２９の一部２９ａをめくって、連結部材５と左縦中框１１および右縦中框１６との隙間を容易に掃除することができる。
【００２２】
〔第３の実施形態〕
本発明の第３の実施形態を図６と共に説明する。なお、第１の実施形態および第２の実施形態と同様の事項については説明を省略し、異なる点を中心に説明する。
第３の実施形態は、第１の実施形態および第２の実施形態における端部片２９の一部２９ｂを別部材で構成し、係合して取付けられることで左縦中框１１および右縦中框１６を構成するものである。
端部片２９の一部２９ｂを別部材で構成することにより、アルミ材と樹脂材といった一体成形が困難な材料同士の組合せを実現することができる。また、端部片２９の一部２９ｂをその係合部を軸として若干回転させることができるので、組み立て時に誤差などで連結部材５の閉塞部材５ｂと接触するような場合にも、接触しないように調整することができる。異なる材料の組合せの例としては、アルミ材と硬質樹脂材、アルミ材と軟質樹脂材、硬質樹脂材と軟質樹脂材などが挙げられる。なお、アルミ材とアルミ材といった同質材料を別部材として縦中框を構成するようにしてもよい。
【００２３】
〔第４の実施形態〕
本発明の第４の実施形態を図７と共に説明する。なお、第１の実施形態乃至第３の実施形態と同様の事項については説明を省略し、異なる点を中心に説明する。
第４の実施形態は、第１の実施形態における水切片２１ａの一部２１ａ１を別部材で構成し、係合して取付けられることで左縦中框１１および右縦中框１６を構成するものである。
水切片２１ａの一部２１ａ１を別部材で構成することにより、アルミ材と樹脂材といった一体成形が困難な材料同士の組合せを実現することができる。また、水切片２１ａの一部２１ａ１をその係合部を軸として若干回転させることができるので、掃除が行い易くなる。異なる材料の組合せの例としては、アルミ材と硬質樹脂材、アルミ材と軟質樹脂材、硬質樹脂材と軟質樹脂材などが挙げられる。なお、アルミ材とアルミ材といった同質材料を別部材として縦中框を構成するようにしてもよい。
【００２４】
〔第５の実施形態〕
本発明の第５の実施形態を図８とともに説明する。なお、第１の実施形態乃至第４の実施形態と同様の事項については説明を省略し、異なる点を中心に説明する。
第５の実施形態では、第３の実施形態における浴室側取手１９に代えて連結部材５の閉塞部材５ｂに沿って設けた浴室側引手３３に変更したものである。
浴室側引手３３は、連結部材５の閉塞部材５ｂの長手方向に沿って上下方向に閉塞部材５ｂと一体成形されて設けられている。
浴室側引手３３は、閉塞部材５ｂから見込方向浴室側に突出する浴室側引手見込壁３３ａと、浴室側引手見込壁３３ａの浴室側から左右方向に突出する浴室側引手片３３ｂとを備えている。
浴室側引手片３３ｂの左縦中框１１側および右縦中框１６側は手の指を挿入できる程度の空間が確保されている。浴室側引手片３３ｂの左縦中框１１側および右縦中框１６側の面には、凸部が形成されており、掛けた手の指が滑り難くなっている。
【００２５】
本実施形態では、図８（ｂ）に示すように、折戸１を折り畳んだ状態で浴室側溝開口３０、浴室側開放口３１および連結部材側見込壁２３を掃除することが可能である。
また、浴室側引手片３３ｂと水切片２１ａとより、浴室側からの水が通気経路Ｋに浸入し難くなる。なお、図８（ａ）に示すように、浴室側引手片（水切片）３３ｂの左右方向の端部は、水切片２１ａを超えて連結部材側見込壁２３まで覆うように設けられている。
このような場合であれば、浴室側からの水は、水切片２１ａではなく、主に浴室側引手片３３ｂによって通気通路Ｋに浸入することが阻まれることになる。すなわち、浴室側引手片３３ｂが水切機能をも備えている。よって、このような場合には、必ずしも水切片２１ａを設けないようにしたり、または、水切片２１ａのサイズを小さくしてもよい。水切片２１ａを設けない場合には、浴室側溝開口３０は浴室側引手片（水切片）３３ｂ、連結部材側見込壁２３および端部片２９で形成されることになる。
さらに、図８（ａ）に示すように、折戸１が閉じられた状態にあるときには、浴室側引手３３の浴室側引手片３３ｂと、左扉体３および右扉体４の左縦中框１１および右縦中框１６の脱衣室側引手２７とが引手として機能し、図３に示す第１の実施形態のように、浴室側取手１９を設ける必要がないので、折戸１の製造におけるコストダウンが図れると共に折戸１全体をすっきりとした意匠にできる。浴室側引手片３３ｂは、左縦中框１１および右縦中框１６の長手方向に沿って上下に長く設けてあるから、上下方向の任意の位置で手の指を掛けることができ、身長にかかわらず、子供から大人までユニバーサルな開閉手段とすることができる。浴室側引手片３３ｂおよび脱衣室側引手２７は、浴室側と脱衣室側とで連結部材５およびその近傍で左右に突出しているので、操作方法が統一され、操作性が良い。浴室側引手片３３ｂは浴室側引手見込壁３３ａの左右に対称に突出しており、脱衣室側引手２７は左縦中框１１の左側と、右縦中框１６の右側とで突設して左右対称としてあるから、浴室側および脱衣室側において左右いずれからでも手の指を掛けられるので、この点においても操作性が良い。
【００２６】
本発明は上記の実施の形態に限定されるものではない。例えば以下のようなものも含まれる。
本実施の形態では、通気経路Ｋを左縦中框１１および右縦中框１６の双方に設けているが、どちらか一方でも構わない。
左縦中框１１および右縦中框１６において、浴室側開放口３１と脱衣室側開放口３２とは、見込方向や上下方向にずれていたが、ずれていなくても良い。
本実施の形態では、浴室側開放口３１および脱衣室側開放口３２は、各々連結部材側見込壁２３およびパネル側見込壁２４の上部には設けられていないが、上部に設けられてもよい。
【００２７】
実施形態における各技術的事項を組合せて適用して実施形態としても良い。
例えば、第５の実施形態に係る浴室側引手３３を他の実施形態に適用してもよい。その際には、第５の実施形態のように浴室側取手１９に代えて適用してもよいし、浴室側取手１９と併用してもよい。
【符号の説明】
【００２８】
１        折戸
２        枠体
３        左扉体
４        右扉体
５        連結部材
６        上枠
７        下枠
８        左縦枠
９        右縦枠
１０      左縦框
１１      左縦中框
１２      左上框
１３      左下框
１４      パネル
１５      右縦框
１６      右縦中框
１７      右上框
１８      右下框
１９      浴室側取手
２０      本体部
２１      浴室側見付壁
２２      脱衣室側見付壁
２３      連結部材側見込壁
２４      パネル側見込壁
２５      中空部
２６      パネル溝
２７      脱衣室側引手
２８      脱衣室側溝開口
２９      端部片
３０      浴室側溝開口
３１      浴室側開放口
３２      脱衣室側開放口
３３      浴室側引手
【図１】
2018141347.tif 000003
【図２】
2018141347.tif 000004
【図３】
2018141347.tif 000005
【図４】
2018141347.tif 000006
【図５】
2018141347.tif 000007
【図６】
2018141347.tif 000008
【図７】
2018141347.tif 000009
【図８】
2018141347.tif 000010
【手続補正書】
【提出日】平成29年5月22日(2017.5.22)
【手続補正１】
【補正対象書類名】明細書
【補正対象項目名】０００６
【補正方法】変更
【補正の内容】
【０００６】
本願請求項１に係る発明は、２枚の扉体と扉体の隣接する縦中框同士を折り曲げ自在に連結する連結部材を備え、縦中框は、本体部と端部片を有し、端部片は、扉体の折り曲げ位置にかかわらず、連結部材と略一定の隙間を維持するものであり、軟質樹脂製であることを特徴とする浴室折戸である。
【手続補正２】
【補正対象書類名】特許請求の範囲
【補正対象項目名】全文
【補正方法】変更
【補正の内容】
【特許請求の範囲】
【請求項１】
２枚の扉体と扉体の隣接する縦中框同士を折り曲げ自在に連結する連結部材を備え、
縦中框は、本体部と端部片を有し、
端部片は、扉体の折り曲げ位置にかかわらず、連結部材と略一定の隙間を維持するものであり、軟質樹脂製であることを特徴とする浴室折戸。
【手続補正書】
【提出日】平成29年7月27日(2017.7.27)
【手続補正１】
【補正対象書類名】明細書
【補正対象項目名】０００６
【補正方法】変更
【補正の内容】
【０００６】
本願請求項１に係る発明は、２枚の扉体と扉体の隣接する縦中框同士を折り曲げ自在に連結する連結部材を備え、縦中框は、本体部と端部片を有し、端部片は、本体部から連結部材の外周に沿って且つ連結部材の長手方向に設けられており、扉体の折り曲げ位置にかかわらず、連結部材と略一定の隙間を維持するものであり、軟質樹脂製であることを特徴とする浴室折戸である。
【手続補正２】
【補正対象書類名】特許請求の範囲
【補正対象項目名】全文
【補正方法】変更
【補正の内容】
【特許請求の範囲】
【請求項１】
２枚の扉体と扉体の隣接する縦中框同士を折り曲げ自在に連結する連結部材を備え、
縦中框は、本体部と端部片を有し、
端部片は、本体部から連結部材の外周に沿って且つ連結部材の長手方向に設けられており、扉体の折り曲げ位置にかかわらず、連結部材と略一定の隙間を維持するものであり、軟質樹脂製であることを特徴とする浴室折戸。
【手続補正書】
【提出日】平成29年11月17日(2017.11.17)
【手続補正１】
【補正対象書類名】明細書
【補正対象項目名】０００６
【補正方法】変更
【補正の内容】
【０００６】
本願請求項１に係る発明は、２枚の扉体と扉体の隣接する縦中框同士を折り曲げ自在に連結する連結部材を備え、縦中框は、本体部と端部片を有し、端部片は、基端部から先端部までが連結部材の外周に沿って且つ連結部材の長手方向に設けられており、扉体の折り曲げ位置にかかわらず、連結部材と略一定の指が入らない程度の隙間を維持するものであり、軟質樹脂製であることを特徴とする浴室折戸である。
【手続補正２】
【補正対象書類名】特許請求の範囲
【補正対象項目名】全文
【補正方法】変更
【補正の内容】
【特許請求の範囲】
【請求項１】
２枚の扉体と扉体の隣接する縦中框同士を折り曲げ自在に連結する連結部材を備え、
縦中框は、本体部と端部片を有し、
端部片は、基端部から先端部までが連結部材の外周に沿って且つ連結部材の長手方向に設けられており、扉体の折り曲げ位置にかかわらず、連結部材と略一定の指が入らない程度の隙間を維持するものであり、軟質樹脂製であることを特徴とする浴室折戸。